(57)【特許請求の範囲】
【請求項１】
電気ドリルを垂直に固定するためのスライド部と、垂直に固定された電気ドリルのスピンドルアーバを支持するためのブラケット部と、該ブラケット部の下位に配置されてリベット類の打設面に当接される押当部材とを備え、かつ、前記押当部材は、少なくとも一以上のリベット類を許容する孔、溝等のスペースを有するリベットブレイカーにおいて、前記押当部材は、リベット類の大きさに応じて幅方向に変位する一対のクランプを介して対向配置に離間されていることを特徴とするリベットブレイカー。
【発明の詳細な説明】
【０００１】
【発明の属する技術分野】
本発明は、橋梁、鉄塔、建物等でのリベット類の交換作業に最適なリベットブレイカーの改良に関し、更に詳しくは、リベット類が沢山打設されているところでも、ガタつくことなく打設面に当接できてリベット類を簡単かつ確実に破砕でき、延いては、穴開け精度をも高めることができる有用なリベットブレイカーに存する。
【０００２】
【従来の技術】
従来、斯かるリベットブレイカーとしては、例えば、電気ドリルを垂直に固定するためのスライド部と、垂直に固定された電気ドリルのスピンドルアーバを支持するためのブラケット部と、該ブラケット部の下位に配置されてリベットの打設面に当接される押当部材とを備えてなるものが従来例として周知である。
【０００３】
【発明が解決しようとする課題】
しかしながら、上述した従来のリベットブレイカーにあっては、前記押当部材に当接面が平坦に形成されたマグネット板を使用しているため、リベットの少ない打設面（鉄骨面）に対しては垂直に吸着できるものの、リベットが沢山打設されているところでは、リベットが邪魔になって上手く打設面に当接できなく、作業中、ガタついてしまうといった欠点があり、延いては、リベットの破砕作業や穴開け精度が悪くなるばかりではなく、刃物の寿命を著しく短くしてしまうといった問題をも有するものである。
【０００４】
本発明はこのような従来の問題点に鑑みてなされたもので、リベット類が沢山打設されているところでも、ガタつくことなく打設面に当接できてリベット類を簡単かつ確実に破砕でき、延いては、穴開け精度をも高めることができる有用なリベットブレイカーの提供を目的としたものである。
【０００５】
【課題を解決するための手段】
上述の如き従来の問題点を解決し、所期の目的を達成するため本発明の要旨とする構成は、電気ドリルを垂直に固定するためのスライド部と、垂直に固定された電気ドリルのスピンドルアーバを支持するためのブラケット部と、該ブラケット部の下位に配置されてリベット類の打設面に当接される押当部材とを備え、かつ、前記押当部材は、少なくとも一以上のリベット類を許容する孔、溝等のスペースを有するリベットブレイカーにおいて、前記押当部材は、リベット類の大きさに応じて幅方向に変位する一対のクランプを介して対向配置に離間されているリベットブレイカーに存する。
【０００８】
このように構成される本発明のリベットブレイカーは、電気ドリルを垂直に固定するためのスライド部と、垂直に固定された電気ドリルのスピンドルアーバを支持するためのブラケット部と、該ブラケット部の下位に配置されてリベット類の打設面に当接される押当部材とを備え、かつ、前記押当部材は、少なくとも一以上のリベット類を許容する孔、溝等のスペースを有するリベットブレイカーにおいて、前記押当部材は、リベット類の大きさに応じて幅方向に変位する一対のクランプを介して対向配置に離間されていることによって、仮令、どんな大きさのリベット類であっても、クランプの間隔調整だけで同リベット類にフィットすべく狭持し得ることとなる。
【００１１】
【発明の実施の形態】
次に、本発明の実施の一例を図面を参照しながら説明する。図中Ａは、本発明に係るリベットブレイカーであり、このリベットブレイカーＡは、図１に示すように、電気ドリル１と、電気ドリル１を垂直に固定するためのスライド部２と、該スライド部２に隣設された本体３と、後述する電気ドリルのスピンドルアーバ１ｃを支持するためのブラケット部４と、該ブラケット部４の下位に配置された押当部材５，５とを備えている。
【００１２】
また、電気ドリル１は、常套のドリルからなり、手で掴むためのサイドハンドル１ａと、オイルドロッパ１ｂ及びスピンドルアーバ１ｃとを有し、先端側に刃物１ｄを取り替え自在に備えている。
【００１３】
更に、刃物１ｄには、穴開け用とリベット破砕用とがあり、用途に応じてワンタッチで取り替えられるように、スピンドル１ｅの先端側にアダプター１ｆが付設されている。
【００１４】
また、スライド部２は、スライド板２ａと、該スライド板２ａの調整ネジ２ｂ，２ｂ…と、ストッパー用のセットスクリュウ２ｃとを介して本体３に装着されており、電気ドリル１が自重で下がらない程度にスライド調整ネジ２ｂ，２ｂ…を均等に締め付け調整される。
【００１５】
更に、本体３は、スイッチノブ（作動スイッチ）や周波数切換スイッチ等を搭載する機体部３ａと、スライド板２ａを上げ下げするためのハンドル３ｂと、振動を緩和するスタビライザ３ｃとを備えている。
【００１６】
また、ブラケット部４は、リベットの破砕、穴開け精度を保持する一番のポイントとなるものであり、３本の６角穴付きボルト（図示せず）で締め付けてある。
【００１７】
更に、押当部材５，５は、リベットの大きさに応じて幅方向に変位する一対のクランプ６，６を介して対向配置に離間されており、その間（空間）をリベットを一列に許容する狭持溝７としている。
【００１８】
また、押当部材５，５は、図２に示すように、相対向する解放端縁に向かって次第に低くなるテーパー面５ａ，５ａを介して複数の縦溝５ｂ，５ｂ…と一条の横溝５ｃとが形成されている。
【００１９】
換言すれば、この縦溝５ｂ，５ｂ…は、同押当部材５，５の長手方向端縁に沿って垂直に形成されていると共に、該縦溝５ｂ，５ｂ…の略中央に直交すべく横溝５ｃが同長手方向端縁に平行に凹設されている。
【００２０】
一方、クランプ６，６は、図３に示すように、取付台８の両側面８ａ，８ａ間に架設されたクランプ軸９に螺合されており、操作ハンドル１０を回動することによりクランプ６，６が変位し、リベット１２を狭持すべく狭持溝７の間隔調整が任意にできるように連動されている。
【００２１】
このように構成される本発明のリベットブレイカーＡは、図３に示すように、押当部材５，５の間に形成された狭持溝７に、鉄骨１１に打設されているリベット１２を入れるべくクランプ６，６で狭持し、次いで、ハンドル３ｂの操作で刃物１２がリベット１２のヘッドに押圧できるようにセットして電源スイッチを入れるだけで、簡単に同リベット１２の頭を粉砕することができるのである。
【００２２】
その際、押当部材５，５間には、リベット１２を一列に許容する狭持溝７が存するため、仮令、リベット１２，１２…が沢山打設されているところであっても、各リベット１２，１２…を狭持溝７内に嵌るため、邪魔になることなく鉄骨面（打設面）に対し垂直に当接でき、また、斯かる押当部材５，５が、一対のクランプ６，６を介して対向配置に離間されているため、仮令、どんな大きさのリベット１２であっても、同リベット１２にフィットすべく狭持できるのである。
【００２３】
しかも、押当部材５，５には、長手方向端縁に沿って複数の縦溝５ｂ，５ｂ…と一条の横溝５ｃとが形成されているため、仮令、ヘッドが半球状のリベット１２であっても滑ることなく上手く狭持でき、ガタつきに起因する刃物１ｄの破損をも阻止できるのである。
【００２４】
尚、本発明のリベットブレイカーＡは、本実施例に限定されることなく、本発明の目的の範囲内で自由に設計変更し得るものであり、本発明はそれらの全てを包摂するものである。例えば、本実施例で示した刃物１ｄは、用途に応じて、コーナー型ドリルアタッチメントやリーマー型ドリルアタッチメント等に取り替え使用できるものであり、また、押当部材５に磁性を帯びさせた金属材料（磁性体）を使用しても良い。
【００２５】
因に、本明細書で言及している「リベット類」とは、本実施例で示したリベットのみに限定されることなく、ボルト、ナット、釘、ネジ、溶着部位等を総称するものであり、本発明はこれら全てを包摂するものである。
【００２６】
【発明の効果】
本発明は上述のように構成され、電気ドリルを垂直に固定するためのスライド部と、垂直に固定された電気ドリルのスピンドルアーバを支持するためのブラケット部と、該ブラケット部の下位に配置されてリベット類の打設面に当接される押当部材とを備え、かつ、前記押当部材は、少なくとも一以上のリベット類を許容する孔、溝等のスペースを有するリベットブレイカーにおいて、前記押当部材は、リベット類の大きさに応じて幅方向に変位する一対のクランプを介して対向配置に離間されていることによって、仮令、どんな大きさのリベット類であっても、クランプの間隔調整だけで同リベット類にフィットすべく狭持できるといった優れた効果を奏するものである。
【００２９】
このように本発明に係るリベットブレイカーは、リベット類が邪魔になることなく（打設面に対しガタつくことなく）当接できるため、刃物の寿命を低下させることなくリベット類を簡単かつ確実に破砕できるなど、一連の破砕作業の効率及び穴開け精度を高めることができるものであり、また、構成が単純であるため大量生産に適し、価格も低廉なものとして需要者に提供できるなど、本発明を実施することはその実益的価値が甚だ大である。
【図面の簡単な説明】
【図１】本発明に係るリベットブレイカーを示す斜視図である。
【図２】図２(ａ)は同リベットブレイカーの押当部材を示す要部斜視図、図２(ｂ)は同押当部材の溝付状態を示す説明図である。
【図３】本発明に係るリベットブレイカーの使用状態を示す説明図である。
【符号の説明】
１  電気ドリル
１ａ  サイドハンドル
１ｂ  オイルドロッパ
１ｃ  スピンドルアーバ
１ｄ  刃物
１ｅ  スピンドル
１ｆ  アダプター
２  スライド部
２ａ  スライド板
２ｂ  調整ネジ
２ｃ  セットスクリュウ
３  本体
３ａ  機体部
３ｂ  ハンドル
３ｃ  スタビライザ
４  ブラケット部
５  押当部材
５ａ  テーパー面
５ｂ  縦溝
５ｃ  横溝
６  クランプ
７  狭持溝（スペース）
８  取付台
８ａ  側面
９  クランプ軸
１０  操作ハンドル
１１  鉄骨
１２  リベット
【図１】
0004267141.tif 000002
【図２】
0004267141.tif 000003
【図３】
0004267141.tif 000004